(57)【要約】【課題】樹脂製タンクが内側に変形してもタンク蓋が外れることのないタンク蓋の固定構造を提供すること。【解決手段】洗浄水を貯水する樹脂製タンクの上部開口部に載設するタンク蓋の固定構造であって、前記タンク蓋はその裏面側に突設した弾性変形する複数の突片部を有する固定部材を一体的に設け、前記樹脂製タンクはその側壁に前記突片部が係合するタンク側係合部を設け、前記複数の突片部が前記タンク側係合部を前記樹脂製タンクの内側から外側に向って押圧して係合する。【選択図】  図４
2004197447.tif 000002
【特許請求の範囲】
【請求項１】
洗浄水を貯水する樹脂製タンクの上部開口部に載設するタンク蓋の固定構造であって、
前記タンク蓋はその裏面側に突設した弾性変形する複数の突片部を有する固定部材を一体的に設け、前記樹脂製タンクはその側壁に前記突片部が係合するタンク側係合部を設け、前記複数の突片部が前記タンク側係合部を前記樹脂製タンクの内側から外側に向って押圧して係合することを特徴とするタンク蓋の固定構造。
【請求項２】
前記タンク側係合部が内側に突設した突部で、前記突片部に前記突部が嵌まり込んで係合する凹状部を設けたことを特徴とする請求項１に記載のタンク蓋の固定構造。
【請求項３】
前記突部が前記樹脂製タンクと一体成形した補強リブであることを特徴とする請求項１または２に記載のタンク蓋の固定構造。
【請求項４】
前記突片部の形状が略Ｓ字形状をなし、前記突部が前記略Ｓ字形状の凹状部に嵌まり込んで係合することを特徴とする請求項２または３に記載のタンク蓋の固定構造。
【発明の詳細な説明】
【０００１】
【発明の属する技術分野】
本発明は、トイレ空間内に設置されたキャビネット等の内部に収納される樹脂製タンクに用いるタンク蓋の固定構造に関する。
【０００２】
【従来の技術】
従来、樹脂製タンクの上部開口部を覆うタンク蓋の固定構造として図５に示すものがある。タンク蓋６の上面部に、タンク蓋６を略長方体形状の樹脂製タンク５に取り付ける状態で下方に突出する一対の略Ｓ字形状の突片部８ａ、８ａを有する固定部材８を小ねじ１０によって固定している。樹脂製タンク５の長辺の側壁部５ａの上部の外側面５ｃには突設したリブ１１ａが一体形成され、前記略Ｓ字形状の突片部８ａ、８ａの凸部が樹脂製タンク５の長辺の側壁部５ａの外側面１１に当接し外側から押圧して挟みこんでタンク蓋５を固定していた。
【０００３】
【発明が解決しようとする課題】
しかし、樹脂製タンクの材質上、構造上の強度不足によってタンク開口部特に長辺の側壁部５ａが内側に湾曲・変形し、突片部８ａの凸状部８ｂが外側面５ｃから離間しリブ１１ａにも引っ掛からない状態となり、タンク蓋６が外れ易くなるという問題があった。
そこで、本発明では上記の問題点を解決するため、樹脂製タンクの側壁部が内側に変形してもタンク蓋が外れることのないタンク蓋の固定構造を提供することを目的とする。
【０００４】
【課題を解決するための手段およびその作用・効果】
本発明は、洗浄水を貯水する樹脂製タンクの上部開口部に載設するタンク蓋の固定構造であって、前記タンク蓋はその裏面側に突設した弾性変形する複数の突片部を有する固定部材を一体的に設け、前記樹脂製タンクはその側壁に前記突片部が係合するタンク側係合部を設け、前記複数の突片部が前記タンク側係合部を前記樹脂製タンクの内側から外側に向って押圧して係合することを特徴とする。
【０００５】
固定部材の複数の突片部を樹脂製タンクの上部開口部からタンク内に挿入していくと、複数の突片部が樹脂製タンクのタンク側係合部を内側から外側に向って弾性変形し押圧するように作用して係合する。そのため、タンク蓋が樹脂製タンクに対して強固に固定される。
また、樹脂製タンクが内側に変形しても形状を矯正するようにタンク蓋を固定することができる。
さらに、固定部材をタンク蓋の裏面側に設けることにより外側に露出することがなくなるため他の構造物に干渉することもない。また、キャビネット内に樹脂製タンクやその他の構成部材の取り外しの際に複数の突片部に接触してけがをすることがない。
【０００６】
本発明の好ましい態様としては、前記タンク側係合部が内側に突設した突部で、前記突片部に前記突部が嵌まり込んで係合する凹状部を設ける。
そうすることにより、前記突片部が外れにくくタンク蓋と樹脂製タンクとがさらに強固に固定される。
【０００７】
また、本発明の好ましい態様としては、前記突部が前記樹脂製タンクと一体成形した補強リブであるようにする。
そうすることにより、樹脂製品では一般的である一体成形された補強リブを前記突片部との係合部として利用することができ、樹脂製タンク自体に別途前記係合部を設ける必要がない。そのため、樹脂製タンクの成形用型の構造も簡単となり製造コストが安価になる。
【０００８】
また、本発明の好ましい態様としては、前記突片部の形状が略Ｓ字形状をなし、前記突部が前記略Ｓ字形状の凹状部に嵌まり込んで係合するようにする。
そうすることより、固定部材の突片部自体の曲げ強度を向上することができる。
【０００９】
【発明の実施の形態】
以下、図面を参照して本発明をより具体的に説明する。
従来の技術と同じ構成部材については同番号を付して説明する。
図１は本発明を使用する一例として洋風便器Ａを示したものである。
この洋風便器Ａは便鉢２を有する陶器製の便器本体１と該便器本体１の後方部に設置された樹脂製タンク５と、樹脂製タンク５の外側面部を覆う防露層４と樹脂製のタンク蓋６とから構成している。便鉢２の上部には便蓋３を載設している。また、防露層４は発泡ポリスチレン製である。
【００１０】
樹脂製タンク５内には、便器本体１に供給される洗浄水が貯溜されており、樹脂製タンク５内に貯溜された洗浄水の水位が所定の水位より低くなると所定の水位になるまで樹脂製タンク５内に洗浄水を供給する図示しないボールタップと、一端がボールタップに固定され他端が樹脂製タンク５に鉛直方向に固定されることでボールタップを支持するとともに、ボールタップへ洗浄水を導く図示しない導水管と、該導水管と樹脂製タンク５へ給水する図示ない給水管とが接続されている。また、キャビネット７前面には図示しない操作レバーが配置されており、使用者は操作レバーを操作することにより便鉢２内に洗浄水を供給することが可能となる。
【００１１】
図２はキャビネット７が設置された状態の洋風便器Ａ全体の斜視図を示し、便器本体１の後側上部に取付けられた樹脂製タンク５、防露層４、タンク蓋６はキャビネット７に収納される。図示しないボールタップの交換や万が一漏水が発生した場合は、樹脂製タンク５が収納されているキャビネット７の前面部を取外しメンテ作業を行う。
【００１２】
図３は本発明に係る一実施例の樹脂製タンク５とタンク蓋６を分解した斜視図で、図４はタンク蓋６を樹脂製タンク６に取り付けた状態を示す断面図である。
タンク蓋６はその外周に樹脂製タンク５の上部外縁を内包する垂下壁部６ａを有している。
９は固定部材で弾性を有する金属片を加工した板材で形成し、長辺部９ａと長辺部９ａの両端部から突設した一対の略Ｓ字状の形状をなした突片部９ｂ、９ｂとを有している。長辺部９ａがタンク蓋６の裏面に小ねじ１０によって突片部９ｂ、９ｂがタンク蓋６の裏面側に突出するように取付けられている。長辺部９ａは、その長さ寸法がタンク蓋６を樹脂製タンク５の上部開口部に載設した状態で前記上部開口部の内側に収まる寸法としている。
【００１３】
樹脂製タンク５は内側に突出した複数の補強リブ１１ａ、１１ｂ、１１ｃを一体成形している。そして、タンク蓋６の突片部９の凹状部９ｃが係合するタンク側係合部として補強リブ１１ａを使用している。
【００１４】
次に、タンク蓋６を樹脂製タンク５に固定する手順について説明する。
タンク蓋６の突片部９ｂ、９ｂを樹脂製タンク５の上部開口部の上方から樹脂製タンク５内に挿入する。
さらに挿入していくと、突片部９ｂ、９ｂが弾性変形して凸状部９ｄ、９ｄが樹脂製タンク５の側壁部５ａの内側面５ｂに外側方向に押圧する状態で当接し、補強リブ１１ａ、１１ａを乗り超えて下方の内側面５ｂに当接する。このとき、凹状部９ｃ、９ｃに補強リブ１１ａ、１１ａに嵌まり込こんだ状態となり、タンク蓋６の樹脂製タンク５への固定が完了する。
固定が完了した状態においても突片部９ｂ、９ｂの凹状部９ｃ、９ｃは、補強リブ１１ａ、１１ａを外側に向って押圧している。
【００１５】
以上により、樹脂製タンク５の側壁部５ａが経年変化等により内側に変形した場合であっても固定部材９の突片部９ｂ、９ｂが樹脂製タンク５の内側から押圧するため、樹脂製タンク５からタンク蓋６が容易に外れることを防止することが可能になる。
【００１６】
なお、上記実施例において固定部材９は弾性を有する金属片を加工した板材で形成したものを用いたが、金属片に拘らず弾性を有する材質のものであれば何でも構わないことは言うまでもない。
また、タンク側係合部として補強リブ１１ａを使用したが、別部材で構成するこもできる。
【００１７】
また、タンク側係合部を樹脂製タンクの側壁部５ａに凹部若しくは貫通孔を設け、前記突片部９ｂ、９ｂの凸状部９ｄ、９ｄを凹部若しくは貫通孔に係合してタンク蓋６を固定することもできる。
【００１８】
また、タンク側係合部として樹脂製タンクの内側に突出した前記補強リブ等の突出部を形成し、前記突片部に貫通孔を設けて、前記突出部が前記貫通孔に係合してタンク蓋６を固定することもできる。
【図面の簡単な説明】
【図１】本発明に係る一実施例の樹脂製タンクとタンク蓋を用いた洋風便器の全体図。
【図２】本発明に係る一実施例の樹脂製タンクとタンク蓋がキャビネットに収納された状態図。
【図３】本発明に係る一実施例の樹脂製タンクとタンク蓋の分解斜視図。
【図４】図３の樹脂製タンクとタンク蓋の取付け状態を示す断面図。
【図５】従来の樹脂製タンクとタンク蓋の分解斜視図。
【符号の説明】
１…便器本体
２…便鉢
３…便蓋
４…防露層
５…タンク
５ａ…側壁部
５ｂ…内側面
５ｃ…外側面
６…タンク蓋
７…キャビネット
８…固定部材
８ａ…突片部
８ｂ…凸状部
９…固定部材
９ａ…長辺部
９ｂ…突片部
９ｃ…凹状部
９ｄ…凸状部
１０…小ねじ
１１ａ、１１ｂ、１１ｃ…補強リブ
【図１】
2004197447.tif 000003
【図２】
2004197447.tif 000004
【図３】
2004197447.tif 000005
【図４】
2004197447.tif 000006
【図５】
2004197447.tif 000007